【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
第一の成分と第二の成分が混合された音響信号を入力する入力手段と、
前記音響信号を時間と信号周波数の関係を示す時間周波数信号に変換する変換手段と、
前記時間周波数信号を複数の帯域に分割する分割手段と、
前記第二の成分の影響が小さい帯域の時間周波数信号を第一のアクティビティ行列に分解する第一の分解手段と、
前記第一のアクティビティ行列を教師アクティビティとして、前記音響信号から変換された時間周波数信号を第二のアクティビティ行列に分解する第二の分解手段とを有する音響信号処理装置。
【請求項２】
第一の成分と第二の成分が混合された音響信号を入力する入力手段と、
前記音響信号を複数の帯域に分割する分割手段と、
前記第二の成分の影響が小さい帯域の音響信号を時間と信号周波数の関係を示す第一の時間周波数信号に変換する第一の変換手段と、
前記音響信号を第二の時間周波数信号に変換する第二の変換手段と、
前記第一の時間周波数信号を第一のアクティビティ行列に分解する第一の分解手段と、
前記第一のアクティビティ行列を教師アクティビティとして、前記第二の時間周波数信号を第二のアクティビティ行列に分解する第二の分解手段とを有する音響信号処理装置。
【請求項３】
さらに、前記第一および第二のアクティビティ行列から前記第一および第二の成分の時間周波数信号を生成する生成手段を有する請求項1または請求項2に記載された音響信号処理装置。
【請求項４】
さらに、前記第一および第二の成分の時間周波数信号からフィルタを生成し、前記音響信号から変換された時間周波数信号をフィルタリングするフィルタ手段を有する請求項3に記載された音響信号処理装置。
【請求項５】
第一の成分と第二の成分が混合された音響信号を入力する入力手段と、
前記音響信号を時間と信号周波数の関係を示す時間周波数信号に変換する変換手段と、
前記音響信号に含まれる前記第二の成分の強度を判定する判定手段と、
前記第二の成分の強度に応じて前記時間周波数信号を複数の帯域に分割する分割手段と、
前記第二の成分の影響が小さい帯域の時間周波数信号を第一のアクティビティ行列に分解する第一の分解手段と、
前記第一のアクティビティ行列を教師アクティビティとして、前記音響信号から変換された時間周波数信号を第二のアクティビティ行列に分解する第二の分解手段とを有する音響信号処理装置。
【請求項６】
前記第一および第二のアクティビティ行列から前記第二の成分を抑圧した時間周波数信号を生成する生成手段を有する請求項5に記載された音響信号処理装置。
【請求項７】
第一の成分と第二の成分が混合された音響信号を入力する入力手段と、
前記音響信号を時間と信号周波数の関係を示す時間周波数信号に変換する変換手段と、
前記時間周波数信号を複数の帯域に分割する分割手段と、
前記第二の成分の影響が小さい帯域の時間周波数信号を第一のアクティビティ行列に分解する第一の分解手段と、
前記音響信号から変換された時間周波数信号を第二のアクティビティ行列に分解する第二の分解手段と、
前記第二のアクティビティ行列を、前記第一のアクティビティ行列と相関が高い第三のアクティビティ行列、および、前記第一のアクティビティ行列と相関がない第四のアクティビティ行列に分類する分類手段とを有する音響信号処理装置。
【請求項８】
前記第二のアクティビティ行列が含むアクティビティベクトルの数は、前記第一のアクティビティ行列が含むアクティビティベクトルの数よりも多い請求項7に記載された音響信号処理装置。
【請求項９】
さらに、前記第三および第四のアクティビティ行列から前記第一および第二の成分の時間周波数信号を生成する生成手段を有する請求項7または請求項8に記載された音響信号処理装置。
【請求項１０】
さらに、前記時間周波数信号を音響信号に逆変換する逆変換手段を有する請求項1から請求項9の何れか一項に記載された音響信号処理装置。
【請求項１１】
前記第一の成分は音声信号であり、前記第二の成分は雑音信号である請求項1から請求項10の何れか一項に記載された音響信号処理装置。
【請求項１２】
第一の成分と第二の成分が混合された音響信号を入力し、
前記音響信号を時間と信号周波数の関係を示す時間周波数信号に変換し、
前記時間周波数信号を複数の帯域に分割し、
前記第二の成分の影響が小さい帯域の時間周波数信号を第一のアクティビティ行列に分解し、
前記第一のアクティビティ行列を教師アクティビティとして、前記音響信号から変換された時間周波数信号を第二のアクティビティ行列に分解する音響信号処理方法。
【請求項１３】
第一の成分と第二の成分が混合された音響信号を入力し、
前記音響信号を複数の帯域に分割し、
前記第二の成分の影響が小さい帯域の音響信号を時間と信号周波数の関係を示す第一の時間周波数信号に変換し、
前記音響信号を第二の時間周波数信号に変換し、
前記第一の時間周波数信号を第一のアクティビティ行列に分解し、
前記第一のアクティビティ行列を教師アクティビティとして、前記第二の時間周波数信号を第二のアクティビティ行列に分解する音響信号処理方法。
【請求項１４】
第一の成分と第二の成分が混合された音響信号を入力し、
前記音響信号を時間と信号周波数の関係を示す時間周波数信号に変換し、
前記音響信号に含まれる前記第二の成分の強度を判定し、
前記第二の成分の強度に応じて前記時間周波数信号を複数の帯域に分割し、
前記第二の成分の影響が小さい帯域の時間周波数信号を第一のアクティビティ行列に分解し、
前記第一のアクティビティ行列を教師アクティビティとして、前記音響信号から変換された時間周波数信号を第二のアクティビティ行列に分解する音響信号処理方法。
【請求項１５】
第一の成分と第二の成分が混合された音響信号を入力し、
前記音響信号を時間と信号周波数の関係を示す時間周波数信号に変換し、
前記時間周波数信号を複数の帯域に分割し、
前記第二の成分の影響が小さい帯域の時間周波数信号を第一のアクティビティ行列に分解し、
前記音響信号から変換された時間周波数信号を第二のアクティビティ行列に分解し、
前記第二のアクティビティ行列を、前記第一のアクティビティ行列と相関が高い第三のアクティビティ行列、および、前記第一のアクティビティ行列と相関がない第四のアクティビティ行列に分類する音響信号処理方法。
【請求項１６】
第一の成分と第一周波数帯に存在する第二の成分とが混合された音響信号の前記第一周波数帯と異なる第二周波数帯におけるスペクトログラムに対して非負値行列因子分解を行う第一処理手段と、
前記第一周波数帯及び前記第二周波数帯を含む周波数帯における前記音響信号のスペクトログラムに対して、前記第一処理手段による非負値行列因子分解の結果を用いて非負値行列因子分解を行う第二処理手段と、
前記第二処理手段による非負値行列因子分解の結果を用いて前記音響信号から前記第一の成分または前記第二の成分を取得するする取得手段と
を有する音響信号処理装置。
【請求項１７】
前記第一周波数帯は、前記第二周波数帯より周波数が低いことを特徴とする請求項16に記載された音響信号処理装置。
【請求項１８】
前記音響信号の前記第二周波数帯に含まれる前記第二の成分は、前記音響信号の前記第一周波数帯に含まれる前記第二の成分より少ないことを特徴とする請求項16または請求項17に記載された音響信号処理装置。
【請求項１９】
前記音響信号の前記第二周波数帯には、前記第二の成分は含まれないことを特徴とする請求項16から請求項18の何れか一項に記載された音響信号処理装置。
【請求項２０】
前記第一の成分は、音声に対応する成分であり、
前記第二の成分は、風雑音に対応する成分であることを特徴とする請求項1から請求項11および請求項16から請求項19の何れか一項に記載された音響信号処理装置。
【請求項２１】
コンピュータを請求項1から請求項11および請求項16から請求項20の何れか一項に記載された音響信号処理装置の各手段として機能させるためのプログラム。
【請求項２２】
請求項21に記載されたプログラムが記録されたコンピュータが読み取り可能な記録媒体。
【手続補正２】
【補正対象書類名】明細書
【補正対象項目名】００１３
【補正方法】変更
【補正の内容】
【００１３】
本発明にかかる音響信号処理装置は、
第一の成分と第二の成分が混合された音響信号を入力する入力手段と、
前記音響信号を時間と信号周波数の関係を示す時間周波数信号に変換する変換手段と、
前記時間周波数信号を複数の帯域に分割する分割手段と、
前記第二の成分の影響が小さい帯域の時間周波数信号を第一のアクティビティ行列に分解する第一の分解手段と、
前記第一のアクティビティ行列を教師アクティビティとして、前記音響信号から変換された時間周波数信号を第二のアクティビティ行列に分解する第二の分解手段と
を有する。